(57)【要約】【課題】排出トレイの印刷物の有無を確認し、秘密保持文書を第三者に取得させず、他人の印刷物の持ち去りを防ぐ。【解決手段】画像形成装置は、印刷物を排出トレイに排出する。画像形成装置は、排出トレイに手を伸ばす第１動作、排出トレイから手を離す第２動作、及び、排出トレイ上に印刷物があるか否かを判定する。画像形成装置は使用者を認証し、秘密印刷用データが入力された場合、秘密印刷ジョブを直ちに開始しない。排出トレイに印刷物があるとき、画像形成装置は、排出トレイの全印刷物が排出トレイから移動されたことを認識してから、秘密印刷用データに基づく秘密印刷ジョブを開始させる。【選択図】図５
2019055526.tif 000002
【特許請求の範囲】
【請求項１】
印刷用データが入力されるデータ入力部と、
前記印刷用データに基づき印刷を行い、印刷物を排出トレイに排出する印刷部と、
使用者を認証するための認証用情報を取得する取得部と、
前記排出トレイに手を伸ばす第１動作がなされたこと、前記排出トレイから手を離す第２動作がなされたこと、及び、前記排出トレイ上に印刷物があるか否かを判定するための検知部と、
報知を行う報知部と、
前記認証用情報に基づき使用者を認証し、
通常印刷用データが前記データ入力部に入力された場合、前記通常印刷用データに基づく印刷ジョブである通常印刷ジョブを前記印刷部に開始させ、
秘密印刷用データが前記データ入力部に入力された場合、前記秘密印刷用データに基づく印刷ジョブである秘密印刷ジョブを直ちに前記印刷部に開始させず、
認証されている使用者である被認証者が前記秘密印刷用データを入力した使用者であるとき、前記検知部の出力に基づき前記排出トレイに印刷物があるか否かを確認し、
前記排出トレイに印刷物があるとき、前記検知部の出力に基づき、前記排出トレイの全ての印刷物が前記排出トレイから移動されたことを認識してから、前記秘密印刷ジョブを前記印刷部に開始させる制御部と、を含むことを特徴とする画像形成装置。
【請求項２】
前記秘密印刷ジョブの開始前に前記排出トレイに印刷物があるとき、前記制御部は第１メッセージを前記報知部に報知させ、
前記第１メッセージは、前記排出トレイに残る全ての印刷物の移動が必要であることを知らせるメッセージであることを特徴とする請求項１に記載の画像形成装置。
【請求項３】
前記制御部は、前記秘密印刷ジョブの開始後、印刷物を前記排出トレイに戻すべきことを知らせる第２メッセージを前記報知部に報知させることを特徴とする請求項１又は２に記載の画像形成装置。
【請求項４】
前記第２メッセージを前記報知部に報知させるとき、前記制御部は、印刷物の移動場所を前記報知部に報知させることを特徴とする請求項３に記載の画像形成装置。
【請求項５】
データを記憶する記憶部を含み、
前記制御部は、前記秘密印刷ジョブの開始時の前記被認証者を記録する秘密印刷実行者データを前記記憶部に記憶させることを特徴とする請求項１乃至４の何れか１項に記載の画像形成装置。
【請求項６】
前記秘密印刷ジョブの完了後、
前記制御部は、
前記検知部の出力に基づき印刷物が前記排出トレイに戻されたか否かを判定し、
印刷物が前記排出トレイに戻されないとき、他人の印刷物の持ち去りの可能性を警告する持ち去り警告を前記報知部に報知させることを特徴とする請求項１乃至５の何れか１項に記載の画像形成装置。
【請求項７】
複数の前記通常印刷ジョブの印刷物が、前記排出トレイで混載されているとき、
前記制御部は、
前記認証用情報に基づき、画像形成装置に近づいた者を認証し、
前記第１動作と前記第２動作がなされたと判定したとき、前記第２動作後、前記排出トレイから全ての前記通常印刷ジョブの印刷物が取り出されたか否かを判定し、
全ての前記通常印刷ジョブの印刷物が前記排出トレイから取り出されたと判定したとき、他人の印刷物の持ち去りの可能性を警告する持ち去り警告の報知を前記報知部に行わせることを特徴とする請求項１乃至６の何れか１項に記載の画像形成装置。
【請求項８】
全ての前記通常印刷ジョブの印刷物が前記排出トレイから取り出されたとき、
前記制御部は、前記通常印刷ジョブの印刷物が前記排出トレイに戻されたか否かを判定し、
前記通常印刷ジョブの印刷物が前記排出トレイに戻されたと判定できるまで、前記持ち去り警告の報知を前記報知部に継続させることを特徴とする請求項７に記載の画像形成装置。
【請求項９】
全ての前記通常印刷ジョブの印刷物が前記排出トレイから取り出されたとき、
前記制御部は、前記排出トレイからの印刷物の取り出しから予め定められた待ち時間が経過するまで、前記持ち去り警告を前記報知部に報知させず、前記待ち時間が経過してから持ち去り警告の報知を報知部に行わせることを特徴とする請求項７又は８に記載の画像形成装置。
【請求項１０】
前記制御部は、
前記排出トレイにある前記通常印刷ジョブの印刷物の枚数である残り枚数を判定し、
前記残り枚数が多いほど、前記待ち時間を長くすることを特徴とする請求項９に記載の画像形成装置。
【請求項１１】
複数の前記通常印刷ジョブの印刷物が、前記排出トレイで混載されているとき、
前記制御部は、
前記第１動作から前記第２動作までの取り出し時間を測り、
前記第２動作後、前記排出トレイから全ての前記通常印刷ジョブの印刷物が取り出されておらず、かつ、前記被認証者の前記通常印刷ジョブが直近の前記通常印刷ジョブの場合、前記取り出し時間が予め定められた基準時間未満のとき前記持ち去り警告を前記報知部に報知させることを特徴とする請求項７乃至１０の何れか１項に記載の画像形成装置。
【請求項１２】
前記排出トレイに積載された用紙の合計重量を量るための重量センサーを含み、
複数の前記通常印刷ジョブの印刷物が、前記排出トレイで混載されているとき、
前記制御部は、
前記重量センサーの出力に基づき、前記第１動作時の重さである第１重量と前記第２操作後の重さである第２重量を認識し、
前記第２動作後、前記排出トレイから全ての前記通常印刷ジョブの印刷物が取り出されておらず、かつ、前記被認証者の前記通常印刷ジョブが、直近の前記通常印刷ジョブではないとき、前記被認証者の前記通常印刷ジョブの印刷枚数に基づき推定減少量を定め、
前記第２重量が前記第１重量よりも小さく、かつ、前記第１重量から前記第２重量を減じた値と前記推定減少量の差の絶対値が予め定められた許容値を超えているとき、前記前記持ち去り警告を前記報知部に報知させることを特徴とする請求項１１に記載の画像形成装置。
【請求項１３】
前記検知部の出力に基づき、前記被認証者の前記通常印刷ジョブの実行中に前記排出トレイへの手の差し入れを認識したとき、
前記制御部は、前記排出トレイから手を離さないことの警告を前記報知部に報知させることを特徴とする請求項１乃至１２の何れか１項に記載の画像形成装置。
【請求項１４】
データを記憶する記憶部を含み、
前記報知部はスピーカーを含み、
前記制御部は、
使用者ごとの前記通常印刷ジョブ及び前記秘密印刷ジョブの累計実行回数と、前記持ち去り警告の報知の累計回数を示す累計回数データを前記記憶部に記憶させ、
前記累計回数データに基づき、前記被認証者の警告頻度を求め、前記警告頻度が大きいほど、前記持ち去り警告の報知時の前記スピーカーの音量を大きくすることを特徴とする請求項６乃至１３の何れか１項に記載の画像形成装置。
【発明の詳細な説明】
【技術分野】
【０００１】
本発明は、使用者を認証し、他人の印刷物の持ち去りを防ぐ画像形成装置に関する。
【背景技術】
【０００２】
印刷物は画像形成装置の排出トレイに排出される。使用者は画像形成装置に自分の印刷物を取りに行く。画像形成装置は、複数人で共用されることがある。他人の印刷物を誤って持ち去ってしまう場合がある。また、悪意のある者が、印刷物を意図的に持ち去る可能性もゼロではない。特に、秘密保持文書の持ち去りを防ぐ必要がある。他人の印刷物取得を防ぐための技術の一例が特許文献１に記載されている。
【０００３】
特許文献１には、印刷データに従って記録媒体上に画像を形成して印刷物を出力し、画像形成装置の所定範囲内に存在する人物の動きを撮影した画像を解析し、人物の動作を特定し、解析結果に応じた報知を行い、出力印刷物を収得する動作が検知された場合であって、当該動作を行なった人物が印刷物の印刷を指示したユーザーでない場合、所定の警告を行なう画像形成装置が記載されている。この構成により、印刷物の第三者取得や印刷物の報知を防ごうとする（特許文献１：請求項１、請求項４、段落［０００９］参照）。
【先行技術文献】
【特許文献】
【０００４】
【特許文献１】特開２０１５−２１５７３２号公報
【発明の概要】
【発明が解決しようとする課題】
【０００５】
画像形成装置では、秘密を保持すべき文書（秘密保持文書）を印刷することがある。秘密保持文書の印刷者に印刷された秘密保持文書を確実に取得させる必要がある。また、秘密保持文書の持ち去りを確実に防ぐべきという問題がある。
【０００６】
また、画像形成装置の排出トレイには、印刷ジョブの結果（印刷物）が排出される。複数人の複数の印刷ジョブの印刷物が１つの排出トレイに積まれることがある（印刷物の混載）。排出トレイに複数の印刷物が混載されている場合、使用者は排出トレイ上の用紙を選別する。そして、使用者は自分の印刷物を取り出す。しかし、選別ミスにより、他人の印刷物を持ち去ってしまう場合がある。
【０００７】
特許文献１に記載の画像形成装置は、近くの人のモーション（動作）を解析する。しかし、特許文献１には、秘密保持文書の印刷に関する記載はない。また、特許文献１記載の技術は、排出トレイが混載状態の場合の持ち去りには対応できないという問題がある。
【０００８】
本発明は、排出トレイの印刷物の有無を確認し、秘密保持文書を第三者に取得させず、他人の印刷物の持ち去りを防ぐ。
【課題を解決するための手段】
【０００９】
本発明に係る画像形成装置は、データ入力部、印刷部、取得部、検知部、報知部、制御部を含む。前記データ入力部は、印刷用データが入力される。前記印刷部は、前記印刷用データに基づき印刷を行う。前記印刷部は印刷物を排出トレイに排出する。前記取得部は、使用者を認証するための認証用情報を取得する。前記検知部は、前記排出トレイに手を伸ばす第１動作がなされたこと、前記排出トレイから手を離す第２動作がなされたこと、及び、前記排出トレイ上に印刷物があるか否かを判定するための部分である。前記報知部は報知を行う。前記制御部は、前記認証用情報に基づき使用者を認証する。前記制御部は、通常印刷用データが前記データ入力部に入力された場合、前記通常印刷用データに基づく印刷ジョブである通常印刷ジョブを前記印刷部に開始させる。前記制御部は、秘密印刷用データが前記データ入力部に入力された場合、前記秘密印刷用データに基づく印刷ジョブである秘密印刷ジョブを直ちに前記印刷部に開始させない。前記制御部は、認証されている使用者である被認証者が前記秘密印刷用データを入力した使用者であるとき、前記検知部の出力に基づき前記排出トレイに印刷物があるか否かを確認する。前記制御部は、前記排出トレイに印刷物があるとき、前記検知部の出力に基づき、前記排出トレイの全ての印刷物が前記排出トレイから移動されたことを認識してから、前記秘密印刷ジョブを前記印刷部に開始させる。
【発明の効果】
【００１０】
本発明によれば、排出トレイの印刷物を移動させてから、秘密保持文書の印刷を開始することができる。秘密保持文書を第三者に取得させないようにすることができる。また、他人の印刷物の持ち去りを防ぐことができる。
【図面の簡単な説明】
【００１１】
【図１】実施形態に係る複合機の一例を示す図である。
【図２】実施形態に係る複合機の一例を示す図である。
【図３】実施形態に係る複合機の一例を示す図である。
【図４】実施形態に係る印刷用データの送信の一例を示す図である。
【図５】実施形態に係る秘密印刷ジョブ実行時の処理の一例を示す図である。
【図６】実施形態に係る取り出し管理リストの一例を示す図である。
【図７】実施形態に係る排出トレイからの通常印刷物の取り出し時の処理の流れの一例を示す図である。
【図８】実施形態に係る排出トレイからの通常印刷物の取り出し時の処理の流れの一例を示す図である。
【図９】実施形態に係る累計回数データの一例を示す図である。
【図１０】実施形態に係る複合機での持ち去り警告の音量設定の流れの一例を示す図である。
【図１１】実施形態に係る複合機での印刷ジョブ中の処理の一例を示す図である。
【図１２】実施形態に係る後処理装置の一例である。
【発明を実施するための形態】
【００１２】
以下、図１〜図１２を用いて、本発明に係る画像形成装置を説明する。以下の説明では、画像形成装置として複合機１００を例に挙げて説明する。但し、本実施の形態に記載されている構成、配置等の各要素は、発明の範囲を限定するものではなく単なる説明例にすぎない。
【００１３】
（複合機１００）
まず、図１、図２に基づき、実施形態に係る複合機１００を説明する。図１、図２は、実施形態に係る複合機１００の一例を示す図である。
【００１４】
複合機１００は制御部１、記憶部２、画像読取部３、操作パネル４、印刷部５、認証用カメラ６（取得部に相当）、検知部７、重量センサー８、通信部９（データ入力部に相当）を含む。検知部は検知用カメラ７０を含む。
【００１５】
制御部１は複合機１００の各部を制御する。制御部１はＣＰＵ１１、画像処理部１２を含む。ＣＰＵ１１は演算、制御を行う。画像処理部１２は画像処理を画像データに施す。記憶部２は不揮発性の記憶装置と揮発性の記憶装置を含む。記憶部２は不揮発性の記憶装置として、ＲＯＭ２１、ストレージ２２（ＨＤＤ又はＳＳＤ）を含む。記憶部２は揮発性の記憶装置としてＲＡＭ２３を含む。記憶部２は制御用プログラムやデータを記憶する。
【００１６】
原稿を読み取るジョブ（コピージョブ、スキャン保存ジョブ、スキャン送信ジョブ）のとき、制御部１は、原稿を画像読取部３に読み取らせる。画像読取部３は、原稿の画像データを生成する。
【００１７】
制御部１は操作パネル４と通信可能に接続される。操作パネル４は、表示パネル４１（報知部に相当）、タッチパネル４２、ハードキー４３、スピーカー４４（報知部に相当）、表示灯４５（報知部に相当）を含む。制御部１は表示パネル４１の表示を制御する。制御部１は設定用の操作画像を表示パネル４１に表示させる。操作画像は、例えば、ソフトキーやボタンである。制御部１は、タッチパネル４２の出力に基づき、操作された操作画像を認識する。また、制御部１は、操作されたハードキー４３を認識する。操作パネル４は使用者の操作（操作画像やハードキー４３への操作）を受け付ける。スピーカー４４は音を発する。制御部１は、スピーカー４４に音声信号を入力する。スピーカー４４は入力された音声信号に基づく音声を発する。表示灯４５は、複合機１００の状態を知らせるための光源である。表示灯４５は、例えば、ＬＥＤである。
【００１８】
印刷部５は用紙を搬送しつつ、用紙に印刷を行う。印刷部５は、印刷用データに基づき印刷を行い、印刷物を排出トレイ５０に排出する。印刷部５は、給紙部５ａ、用紙搬送部５ｂ、画像形成部５ｃ、定着部５ｄ、排出トレイ５０を含む。
【００１９】
制御部１は印刷部５の動作を制御する。制御部１は、給紙部５ａ、用紙搬送部５ｂ、画像形成部５ｃ、定着部５ｄの動作を制御する。給紙部５ａは用紙を収容する。印刷ジョブのとき、制御部１は給紙部５ａに用紙を供給させる。制御部１は、用紙搬送部５ｂに用紙を搬送させる。制御部１は、画像データに基づくトナー像を画像形成部５ｃに形成させる。制御部１は、形成したトナー像の搬送用紙への転写を画像形成部５ｃに行わせる。制御部１は、トナー像が転写された用紙への加熱、加圧を定着部５ｄに行わせる。これにより、用紙にトナー像が定着する。制御部１は、定着済（印刷済）の用紙を排出トレイ５０まで用紙搬送部５ｂに搬送させる。印刷物が排出トレイ５０に出力される。
【００２０】
図１、図２に示すように、複合機１００は２つのカメラを有する。認証用カメラ６は、使用者を認証するための認証用情報を取得する。認証用カメラ６は、複合機１００の背面側から前面方向を撮影する。認証用カメラ６は画像形成装置に近づく使用者を撮影する。一方、検知用カメラ７０は排出トレイ５０を撮影する。なお、図２では、排出トレイ５０は不可視である。検知用カメラ７０は、上方から排出トレイ５０を撮影する。第１動作がなされたこと、第２動作がなされたこと、及び、排出トレイ５０上に印刷物があるか否かを判定するため、検知用カメラ７０は、排出トレイ５０を撮影する。第１動作は、排出トレイ５０に手を伸ばす動作である。第２動作は、排出トレイ５０から手を離す動作である。重量センサー８は、排出トレイ５０の用紙束の合計重量を量るためのセンサーである。制御部１は、重量センサー８の出力に基づき、用紙束の重さを認識する。
【００２１】
通信部９はＰＣやサーバーのようなコンピューター２００と通信する。通信部９は、ネットワークを介し、コンピューター２００と通信する。通信部９は、通信に必要な回路（ハードウェア）、ソフトウェア２０６を含む。通信部９はコンピューター２００から印刷用データを受信する。制御部１は、印刷用データに基づく印刷を印刷部５に行わせる。
【００２２】
（使用者の認証）
次に、図３を用いて、実施形態に係る複合機１００での使用者の認証の一例を説明する。図３は、実施形態に係る複合機１００の一例を示す図である。
【００２３】
認証用カメラ６は、第１レンズ６１、第１イメージセンサー６２、第１カメラモジュール６３を含む。第１レンズ６１は入射された光を第１イメージセンサー６２に導く。第１イメージセンサー６２は、面状に並べられた複数の受光素子を含む。第１イメージセンサー６２の各受光素子は、受光量に応じたアナログ信号（画像信号）を出力する。第１イメージセンサー６２の各受光素子は、一定周期でアナログ信号（画像信号）を出力する。第１カメラモジュール６３は、第１イメージセンサー６２が出力する画像信号に基づき、第１撮像データ（画像データ）を生成する。第１カメラモジュール６３は、一定周期で第１撮像データを生成する。
【００２４】
制御部１は、認証用カメラ６で撮影された画像データ（第１撮像データ、認証用情報に相当）に基づき、使用者を認証する。制御部１は、複合機１００の前面に立つ使用者が誰であるかを判定する。使用者の認証のため、記憶部２は使用者情報Ｄ１を記憶する。使用者情報Ｄ１は、複合機１００を使用できる者の顔画像データＤ２を含む。使用できる者が複数の場合、使用者情報Ｄ１は複数の顔画像データＤ２を含む。認証用カメラ６の撮影で得られた画像データを顔画像データＤ２として用いてもよい。
【００２５】
使用者情報Ｄ１は、複合機１００の使用を認める者に関して登録されたデータ（登録使用者データＤ３）を含む。登録使用者データＤ３は、ユーザー名、パスワード、アドレス、所属部門のような情報を含む。使用者は、登録使用者データＤ３に含める情報を操作パネル４に入力できる。各使用者の登録使用者データＤ３は、対応する顔画像データＤ２と関連付けられる。
【００２６】
顔認証を行うとき、制御部１は、第１撮像データに対し顔検出処理を行う。顔検出処理により、制御部１は第１撮像データ中の顔領域を定める。なお、顔領域を検出できないとき、制御部１は第１撮像データに人は映っていないと判定する。顔領域を検出できたとき、制御部１は顔領域の特徴点検出処理を行う。制御部１は、目、鼻、口などの顔の特徴点の位置を定める。制御部１は、得られた特徴点位置を用いて顔領域の位置、大きさを正規化し、第１照合用データＤ４を生成する。また、制御部１は、それぞれの顔画像データＤ２について、予め、顔検出処理、特徴点検出処理を行っておく。そして、制御部１は、それぞれの顔画像データＤ２について、顔領域の位置、大きさの正規化し、第２照合用データＤ５を生成しておく。
【００２７】
制御部１は、第１照合用データＤ４とそれぞれの第２照合用データＤ５を比較する。制御部１は、特徴点の位置や各特徴点の位置関係を比較する。そして、制御部１は一致度を算出する。第１照合用データＤ４の顔と第２照合用データＤ５の顔が似ていないほど、算出される一致度は小さくなる。
【００２８】
一致度が予め定められた基準値を超える第２照合用データＤ５がない場合、制御部１は撮像された人物は複合機１００の使用権限を有しないと判定する。この場合、使用者の認証は行われない。一方、制御部１は、一致度が基準値を超える第２照合用データＤ５がある場合、撮像されている者は、複合機１００の使用権限を有すると判定する。この場合、制御部１は最も一致度が大きい第２照合用データＤ５に対応する使用者であると認証する。これにより、制御部１は複合機１００の前面に立つ使用者が誰であるかを判定する。
【００２９】
なお、認証用カメラ６を用いて、顔認証により使用者を認証する例を説明した。しかし、操作パネル４に入力されたパスワードに基づき、使用者を認証してもよい。この場合、使用者は、操作パネル４（タッチパネル４２）を用いて、割り当てられたパスワードを入力する。制御部１は、記憶部２に記憶されるパスワードと入力されたパスワードが一致するか否かを確認する。一致したとき、制御部１は一致したパスワードに対応する使用者と認証する。制御部１は、複合機１００の使用権限があると判定する。一致しないとき、制御部１は使用者を認証しない。制御部１は複合機１００の使用権限がないと判定する。
【００３０】
また、カードや携帯通信機器に登録された情報を読み取って使用者を認証してもよい。携帯通信機器は、例えば、スマートフォンである。この場合、複合機１００に、情報を読み取るリーダーが設けられる。リーダーは、例えば、無線通信により、カードや携帯通信機器から情報を読み取る。制御部１は、記憶部２の情報と読み取った情報が一致するか否かを確認する。一致したとき、制御部１は、使用者は、一致した情報に対応する使用者と認証する。制御部１は、複合機１００の使用権限があると判定する。一致しないとき、制御部１は使用者を認証しない。制御部１は、複合機１００の使用権限がないと判定する。
【００３１】
使用者が認証できないとき、制御部１は、操作パネル４をログアウト状態で保つ。ログアウト状態のとき、操作パネル４は各種設定を受け付けない。一方、使用者が認証できたとき、制御部１は、操作パネル４をログイン状態とする。ログイン状態のとき、操作パネル４は、使用者の各種設定を受け付ける。いったんログイン状態になると、ログアウト条件が満たされるまで、制御部１は操作パネル４をログイン状態で保つ。ログアウト条件は、例えば、操作パネル４への操作が無くなってから一定時間経過したこととできる。
【００３２】
（検知部７の出力に基づく判定）
次に、図３を用いて、実施形態に係る検知部７の出力に基づく判定の一例を説明する。
【００３３】
複合機１００の検知部７は検知用カメラ７０を含む。検知用カメラ７０は、第２レンズ７１、第２イメージセンサー７２、第２カメラモジュール７３を含む。第２レンズ７１は、入射された光を第２イメージセンサー７２に導く。第２イメージセンサー７２は、面状に並べられた複数の受光素子を含む。第２イメージセンサー７２の各受光素子は、受光量に応じたアナログ信号（画像信号）を出力する。第２イメージセンサー７２の各受光素子は、一定周期でアナログ信号（画像信号）を出力する。第２カメラモジュール７３は、第２イメージセンサー７２が出力する画像信号に基づき、第２撮像データ（画像データ）を生成する。第２カメラモジュール７３は、一定周期で第２撮像データを生成する。
【００３４】
第２撮像データ（検知部７の出力）は、制御部１に入力される。制御部１は、第２撮像データに基づき、印刷物が排出トレイ５０にあるか否かを判定する。また、制御部１は、第２撮像データに基づき、排出トレイ５０への操作を検知する。制御部１は、第２撮像データが生成されるごとに、印刷部５が排出トレイ５０にあるか否か、及び、排出トレイ５０への操作を検知する。
【００３５】
記憶部２は検知用データＤ６を記憶する。例えば、検知用データＤ６には、排出トレイ５０の色と扱う画素値の範囲（トレイ色範囲）が定義される。制御部１は、第２撮像データのうち、トレイ色範囲内の画素値を有する画素を認識する。制御部１は、認識した画素の輪郭を求める。制御部１は、輪郭で囲んだ領域のうち、最も面積が広い領域を排出トレイ５０領域と認識する。
【００３６】
そして、制御部１は、排出トレイ５０領域内の画素のうち、トレイ色範囲に属さない画素（用紙を示す画素）の数を認識する。用紙を示す画素の数が所定値以上のとき、制御部１は、排出トレイ５０に印刷物があると判定してもよい。用紙を示す画素の数が所定値未満のとき、制御部１は、排出トレイ５０に印刷物がないと判定する。あるいは、制御部１は、排出トレイ５０領域内の画素のうち、用紙を示す画素の輪郭を求めてもよい。輪郭で囲われた領域内の画素数が所定値以上のとき、制御部１は排出トレイ５０に印刷物があると判定してもよい。輪郭で囲う領域内の画素数が所定値未満のとき、制御部１は、排出トレイ５０に印刷物がないと判定してもよい。なお、用紙の色は、白色であることが多い。用紙の有無を判定できるように、排出トレイ５０の色は白色と十分に異なる色とされる。
【００３７】
また、制御部１は、第２撮像データに基づき、排出トレイ５０に向けて手の差し出された（第１動作がなされた）ことを判定する。また、制御部１は、第２撮像データに基づき、排出トレイ５０から手が離れた（第２動作がなされた）ことを判定する。検知用データＤ６には、肌色と扱う画素値の範囲（肌色範囲）が定義される。制御部１は、第２撮像データのうち、肌色範囲の画素値を有する画素を認識する。制御部１は認識した画素の輪郭を求める。制御部１は輪郭で囲んだ領域のうち最も面積が広い領域を手領域と認識する。
【００３８】
排出トレイ５０領域と判定している領域に一定画素数以上の手領域が重なったとき、制御部１は、第１動作がなされたと判定する。第１動作がなされたと判定した後、排出トレイ５０領域と判定している領域と重なる手領域が一定画素数未満となったとき、制御部１は、第２動作がなされたと判定する。
【００３９】
なお、検知用カメラ７０を用いずに印刷物が排出トレイ５０にあるか否かを検知してもよい。例えば、排出トレイ５０に用紙と接するセンサーを設けてもよい。この場合、用紙と接するセンサーの出力に基づき、制御部１は、排出トレイ５０に印刷物があるか否かを認識する。
【００４０】
また、検知用カメラ７０を用いずに、排出トレイ５０への操作を検知してもよい。例えば、排出トレイ５０の上方かつ印刷物に触れる位置での手の有無により出力が変化するセンサーを用いることができる。例えば、焦電センサー（赤外線センサー）や超音波センサーを用いることができる。この場合、センサーの出力に基づき、制御部１は、第１動作がなされたこと、及び、第２動作がなされたことを判定する。
【００４１】
（報知部）
次に、図１を用いて、実施形態に係る複合機１００の報知部を説明する。報知部として、複合機１００は、表示パネル４１、スピーカー４４、表示灯４５を含む。制御部１は、必要に応じ、表示パネル４１、スピーカー４４、表示灯４５に報知を行わせる。以下では、制御部１が表示パネル４１、スピーカー４４、表示灯４５のそれぞれに報知を行わせる例を説明する。なお、表示パネル４１、スピーカー４４、表示灯４５の一部のみを報知に用いてもよい。
【００４２】
制御部１は、メッセージや警告を表示パネル４１に表示させる。表示パネル４１は、表示による報知を行う。制御部１は、メッセージや警告をスピーカー４４に発音させる。スピーカー４４は、音による通知を行う。制御部１は、報知時、表示灯４５を点灯、消灯、又は、点滅させる。
【００４３】
（印刷用データの送信）
次に、図４を用いて、実施形態に係る印刷用データの送信を説明する。図４は、実施形態に係る印刷用データの送信の一例を示す図である。
【００４４】
複合機１００の通信部９は、コンピューター２００から印刷用データを受信する。制御部１は、印刷用データに基づき、印刷部５に印刷させる。コンピューター２００は、例えば、処理部２０１、ＨＤＤ２０２、ディスプレイ２０３、入力デバイス２０４、通信インターフェイス２０５を含む。
【００４５】
処理部２０１は、ＣＰＵ、ＲＯＭ、ＲＡＭ、その他の回路を実装する基板である。処理部２０１は、コンピューター２００の動作を制御する。ＨＤＤ２０２は、ソフトウェア２０６、ドライバーソフトウェア２０７を記憶する。ドライバーソフトウェア２０７は、複合機１００に印刷用データに基づくジョブを行わせるために必要なソフトウェア２０６である。処理部２０１は、ディスプレイ２０３に画面、画像を表示させる。入力デバイス２０４は、例えば、キーボードやマウスである。通信インターフェイス２０５は、複合機１００の通信部９と通信可能に接続される。
【００４６】
起動しているソフトウェア２０６で印刷コマンドが実行されたとき、処理部２０１はドライバーソフトウェア２０７を起動させる。処理部２０１はドライバーソフトウェア２０７に基づき、印刷用データを生成する。処理部２０１はページ記述言語（ＰＤＬ）で記述されたページデータ、印刷設定に関するデータを印刷用データに含める。処理部２０１は、通信部９に向けて生成した印刷用データを通信インターフェイス２０５に送信させる。
【００４７】
制御部１は、通信部９が受信した印刷用データを記憶部２（ストレージ２２）に記憶させる。制御部１は、ＰＤＬで記述されたデータに基づき、印刷用画像データ（ラスターデータ、ビットマップデータ）を生成する。制御部１は、印刷設定に基づき、印刷用画像データに必要な画像処理を行う。制御部１は、画像処理後の印刷用画像データに基づき、印刷部５に印刷させる。
【００４８】
ここで、複合機１００では、秘密印刷ジョブを行うことができる。秘密印刷ジョブは、プライベート印刷と称されることがある。秘密印刷ジョブを行うとき、使用者は、ドライバーソフトウェア２０７で秘密印刷ジョブの設定を行う。例えば、使用者は、印刷に必要なパスワードを入力する。ドライバーソフトウェア２０７での設定が完了したとき、コンピューター２００は、秘密印刷用データを生成する。秘密印刷用データは、ＰＤＬで記述されたデータ、印刷設定に関するデータ、設定されたパスワードを含む。
【００４９】
秘密印刷用データを受信したとき、制御部１は直ちに秘密印刷用データを開始しない。記憶部２（ストレージ２２）に秘密印刷用データと秘密印刷用データを送信したコンピューター２００のアドレスを保存する。被認証者と秘密印刷用データの送信者が一致し、かつ、適切なパスワードが操作パネル４に入力されたとき、制御部１は、秘密印刷用データに基づく印刷を印刷部５に開始させる。被認証者の登録アドレスと秘密印刷用データを送信したコンピューター２００のアドレスが一致しているとき、制御部１は、被認証者と秘密印刷用データの送信者が一致していると判定する。複合機１００の設置場所に秘密印刷用データの送信者がいない限り、制御部１は印刷を開始させない。秘密印刷用データに基づく印刷直後の印刷物を、秘密印刷用データの送信者に確実に受け取らせる。
【００５０】
ドライバーソフトウェア２０７で秘密印刷ジョブの設定が行われないとき、処理部２０１は、通常印刷用データを生成する。通常印刷用データを受信したとき、制御部１は、記憶部２に通常印刷用データを記憶させる。そして、制御部１は、パスワードの入力なしに、通常印刷用データに基づく印刷を印刷部５に開始させる。通常印刷用データは直ちに実行される。
【００５１】
（秘密印刷ジョブ実行時の処理）
次に、図５を用いて、実施形態に係る秘密印刷ジョブ実行時の処理の一例を説明する。図５は、実施形態に係る秘密印刷ジョブ実行時の処理の一例を示す図である。
【００５２】
秘密印刷ジョブの開始前、制御部１は、秘密印刷ジョブの実行開始条件が全て満たされているか否かを確認する。まず、実行開始条件の１つめは、制御部１が、第１撮像データに基づき、複合機１００の前面の使用者を認証していることである。条件の２つ目は、制御部１は、被認証者（ログイン中の使用者）と秘密印刷用データの送信者が一致していることである。条件の３つ目は、被認証者が秘密印刷用データに対応するパスワードを操作パネル４に入力したことである。
【００５３】
図５のスタートの時点で、制御部１は、秘密印刷ジョブの実行開始条件が全て満たされていることを確認している。そして、制御部１は、検知部７の出力（第２撮像データ）に基づき、排出トレイ５０に印刷物があるか否かを確認する（ステップ♯１１）。
【００５４】
排出トレイ５０に印刷物がないとき（ステップ♯１１のＮｏ）、制御部１は、秘密印刷ジョブを印刷部５に開始させる（ステップ♯１２）。制御部１は、印刷物に給紙、用紙搬送、トナー像形成、転写、定着、排出を行わせる。続いて、制御部１は、秘密印刷ジョブ開始時の被認証者を示す秘密印刷実行者データＤ７を記憶部２に記憶させる（ステップ♯１３、図３参照）。具体的に、秘密印刷実行者データＤ７は、秘密印刷ジョブの実行開始時点（時間）、被認証者の名前、被認証者の顔画像データＤ２、被認証者の登録アドレスを含む。これにより、後日、問題が生じたとき、秘密印刷ジョブを実行した人物を確認することができる。最後のページの印刷に伴い、本フローは終了する（エンド）。
【００５５】
排出トレイ５０に印刷物があるとき（ステップ♯１１のＹｅｓ）、制御部１は、第１メッセージを報知部に報知させる（ステップ♯１４）。第１メッセージは、排出トレイ５０に残る全ての印刷物の移動が必要であることを知らせるメッセージである。制御部１は、表示パネル４１に第１メッセージを表示させる。制御部１は、スピーカー４４に第１メッセージを再生させる。これにより、使用者は、排出トレイ５０から印刷物を移動させるべきことを知る。制御部１は、排出トレイ５０から全ての印刷物が移動されたと判定できるまで、第１メッセージを報知させる。制御部１は、排出トレイ５０に印刷物がないと判定できたとき、全印刷物が移動されたと判定する。
【００５６】
使用者により印刷物が移動されるとき、制御部１は、第２撮像データに基づき、第１動作と第２動作を認識する。そして、制御部１は、移動確認用データＤ８を記憶部２に記憶させる（ステップ♯１５、図３参照）。移動確認用データＤ８は、第１撮像データをまとめたデータである。第１動作がなされたと判定した時点から撮影期間が経過するまでの間に得られた第１撮像データが時間順にまとめられる。ここで、第１撮像データは周期的に生成される。そのため、移動確認用データＤ８は、被認証者の動作を認証用カメラ６が撮影した動画である。撮影期間は予め定められる。撮影期間は、印刷物を取り出し、別の場所に印刷物を置くまでの動作を撮影できる期間とされる。撮影期間は、例えば、十数秒〜数十秒である。
【００５７】
第１撮像データとともに、別途、制御部１は、第２撮像データも移動確認用データＤ８として記憶部２に記憶させる。移動確認用データＤ８は、第１動作から撮影期間が経過するまでの間に得られた第２撮像データも含む。第２撮像データも時間順にまとめられる。第２撮像データは周期的に生成される。そのため、移動確認用データＤ８は、排出トレイ５０の様子を撮影した動画をも含む。なお、制御部１は、第１撮像データと第２撮像データの何れか一方のみ移動確認用データＤ８として記憶部２に記憶させてもよい。
【００５８】
使用者は排出トレイ５０の全印刷物を取り除く。制御部１は、第２撮像データに基づき、排出トレイ５０からの全印刷物の移動を認識する（ステップ♯１６）。取り除かれたとき、制御部１は、秘密印刷ジョブを印刷部５に開始させる（ステップ♯１７）。制御部１は、印刷物に給紙、用紙搬送、トナー像形成、転写、定着、排出を行わせる。そして、制御部１は、秘密印刷ジョブ開始時の被認証者を示す秘密印刷実行者データＤ７を記憶部２に記憶させる（ステップ♯１８、図３参照）。
【００５９】
続いて、制御部１は、秘密印刷ジョブの開始後、第２メッセージを報知部に報知させる（ステップ♯１９）。第２メッセージは、印刷物を排出トレイ５０に戻すべきことを知らせるメッセージである。制御部１は、秘密印刷ジョブが完了するまで、第２メッセージを報知させる。制御部１は、表示パネル４１に第２メッセージを表示させる。制御部１は、スピーカー４４に第２メッセージを再生させる。また、制御部１は、表示灯４５を点消灯させてもよい。
【００６０】
制御部１は、印刷ジョブの最後のページの給紙後、給紙から排出までの仕様上の所要時間が経過した時点で印刷ジョブが完了したと認識する。また、印刷済用紙の排出口に排出センサーを設けてもよい。制御部１は、排出センサーの出力に基づき、最後のページの印刷済用紙が排出された時、印刷ジョブが完了したと認識してもよい。
【００６１】
操作パネル４は、秘密印刷ジョブの最後のページから何ページ前の給紙時点に第２メッセージを報知するかの設定を受け付ける。デフォルトでは、第２メッセージの報知時点は、最後のページの給紙時点とされる。なお、制御部１は、秘密印刷ジョブの１ページ目の給紙開始と同時に第２メッセージの報知を開始させてもよい。
【００６２】
第２メッセージを報知するとき、制御部１は、印刷物の移動場所を報知部に報知させる。例えば、制御部１は、表示パネル４１に移動確認用データＤ８を再生させる。制御部１は、印刷物移動時の動画を表示パネル４１に表示させる。表示パネル４１の費用時領域を２分割してもよい。この場合、制御部１は、一方の表示領域に第１撮像データを時系列順に再生させ、他方の表示領域に第２撮像データを時系列順に再生させてもよい。これにより、表示パネル４１で２つの動画が再生される。
【００６３】
秘密印刷ジョブの完了後、制御部１は、検知部７の出力に基づき、印刷物が排出トレイ５０に戻されたか否かを判定する（ステップ♯１１０）。具体的に、制御部１は、第２撮像データに基づき、予め定められた戻し時間内に、排出トレイ５０に用紙がある状態になったか否かを判定する。戻し時間は適宜定められる。戻し時間は、移動させた印刷物を排出トレイ５０に戻すのに必要な時間である。例えば、戻し時間は、数秒〜数十秒の範囲内で定められる。
【００６４】
戻し時間内に印刷物が戻されたとき（ステップ♯１１０のＹｅｓ）、本フローは終了する（エンド）。戻し時間内に印刷物が戻されなかったとき（ステップ♯１１０のＮｏ）、制御部１は持ち去り警告を報知部に報知させる（ステップ♯１１１）。そして、本フローは終了する（エンド）。
【００６５】
持ち去り警告は、他人の印刷物の持ち去りの可能性を警告するメッセージである。制御部１は、表示パネル４１に持ち去り警告を表示させる。制御部１は、スピーカー４４に持ち去り警告を再生させる。制御部１は、「他人の印刷物を持ち去っている可能性があります」のようなメッセージを再生させる。また、制御部１は、持ち去り警告用の表示灯４５を点消灯させる。制御部１は、予め定められた警告時間、持ち去り警告の表示と再生を続ける。持ち去り警告を報知するとき、制御部１は、複合機１００の管理者のコンピューター２００に向けて、持ち去り警告を報知したことを通信部９に送信させてもよい。持ち去り警告は、表示、音声、送信により行える（以下、同様）。これにより、他人の印刷物の持ち去りの可能性を使用者及び画像形成装置の周辺にいる者に知らせることができる。
【００６６】
（通常印刷物の取り出し）
次に、図６〜図８を用いて、実施形態に係る排出トレイ５０からの通常印刷物の取り出しについて説明する。図６は、実施形態に係る取り出し管理リストＬ１の一例を示す図である。図７、図８は、実施形態に係る排出トレイ５０からの通常印刷物の取り出し時の処理の流れの一例を示す図である。
【００６７】
制御部１は、受信した通常印刷用データに基づき、通常印刷ジョブを開始する。その結果、複数の通常印刷ジョブの印刷物が排出トレイ５０にたまることがある。複数人の通常印刷ジョブの印刷物が排出トレイ５０に混載され得る。なお、被認証者は、秘密印刷ジョブの印刷物を確実に取得する。そのため、排出トレイ５０にたまる印刷物は、通常印刷ジョブの印刷物のみとなる。印刷物を取りに来た使用者は、混載された排出トレイ５０から、自分の印刷物を取り出す。このとき、他人の印刷物を誤って取り出すことがある。複数人の通常印刷ジョブの印刷物が混載しているとき、制御部１は、他人の印刷物の持ち去りを防ぐための処理を行う。
【００６８】
ここで、制御部１は、各通常印刷ジョブについて、印刷物が排出トレイ５０から取り出されたか否かを管理する取り出し管理リストＬ１を記憶部２に記憶させる（図３参照）。図６は、取り出し管理リストＬ１の一例を示す。完了した通常印刷ジョブであって、使用者が取りに来ていない印刷ジョブが取り出し管理リストＬ１に載せられる。取り出し管理リストＬ１には、印刷した使用者、通常印刷ジョブのジョブ名、印刷したページ数、用紙サイズ、通常印刷ジョブの実行日時が定義される。制御部１は、新たに完了した通常印刷ジョブを取り出し管理リストＬ１に追加する。また、制御部１は、印刷物を取りに来たと見なせる通常印刷ジョブを取り出し管理リストＬ１から除外する（詳細は後述）。
【００６９】
図７のスタートは、複数の使用者の通常印刷ジョブの印刷物が排出トレイ５０にたまった時点である。第１動作がないまま、複数の使用者の通常印刷ジョブを実行したとき、制御部１は、複数の使用者の印刷物が混載されていると認識する。
【００７０】
まず、制御部１は、認証用情報（第１撮像データ）に基づき、使用者を認証できているか否かを確認する（ステップ♯２１）。使用者を認証できていないとき（ステップ♯２１のＮｏ）、制御部１は第１動作がなされたか（手が差し出されたか）否かを判定する（ステップ♯２２）。言い換えると、無関係の者が排出トレイ５０に向けて手を伸ばしたか否かを確認する。
【００７１】
第１動作がなされていないと判定したとき（ステップ♯２２のＮｏ）、フローは、ステップ♯２１に戻る。第１動作がなされたと判定したとき（ステップ♯２２のＹｅｓ）、制御部１は、持ち去り警告を報知部に報知させる（ステップ♯２３）。制御部１は、予め定められた警告時間、持ち去り警告の表示と再生を続ける。悪質な持ち去りの可能性があるので、制御部１は、スピーカー４４の音量を最大としてもよい。そして、本フローは終了する（エンド）。
【００７２】
一方、使用者を認証できたとき（ステップ♯２１のＹｅｓ）、第２撮像データに基づき、制御部１は、第１動作がなされたか否かを判定する（ステップ♯２４）。第１動作がなされたと判定できないとき（ステップ♯２４のＮｏ）、フローはステップ♯２１に戻る。第１動作がなされたと判定したとき（ステップ♯２４のＹｅｓ）、制御部１は、測定を開始する（ステップ♯２５）。具体的に、制御部１は取り出し時間を測り始める（ステップ♯２５）。取り出し時間は、第１動作がなされたと判定してから、第２動作がなされたと判定するまでの時間である。また、重量センサー８の出力に基づき、制御部１は第１重量を量る。第１重量は、第１動作がなされたと判定した時点の用紙束の重さである。
【００７３】
制御部１は、第２撮像データに基づき、第２動作がなされたか否かの判定を続ける（ステップ♯２６、ステップ♯２６のＮｏ→ステップ♯２６）。第２動作がなされたと判定したとき（ステップ♯２６のＹｅｓ）、制御部１は、測定を確定する（ステップ♯２７）。具体的に、制御部１は、第２動作がなされたと判定した時点に取り出し時間の測定を終了する。また、制御部１は、重量センサー８の出力に基づき、第２重量を量る。第２重量は、第２動作がなされたと判定した時点の排出トレイ５０の用紙束の重さである。つまり、制御部１は取り出し時間と第２重量を確定する。第２撮像データに基づき、制御部１は、排出トレイ５０から全ての印刷物が取り出されたか否かを確認する（ステップ♯２８）。
【００７４】
全ての印刷物が取り出されたとき（ステップ♯２８のＹｅｓ）、制御部１は、待ち時間を算出する（ステップ♯２９）。待ち時間は、全ての印刷物が取り出されたと判定してから持ち去り警告を開始するまでの時間である。具体的に、制御部１は、取り出し管理リストＬ１に基づき、排出トレイ５０に残されている通常印刷物の枚数である残り枚数を判定する。制御部１は、取り出し管理リストＬ１の各ジョブのページ数の合計値を残り枚数として求める。そして、制御部１は、残り枚数が多いほど、待ち時間を長くする。排出トレイ５０の用紙が多いほど、印刷物の仕分けには手間がかかるためである。例えば、制御部１は、１枚当たりの待ち時間に残り枚数を乗じて、待ち時間を算出する。１枚当たりの待ち時間は予め定められる。
【００７５】
制御部１は、全ての印刷物が移動されたと判定してから待ち時間が経過したとき、持ち去り警告を報知部に報知させる（ステップ♯２１０）。排出トレイ５０の印刷物が被認証者の印刷物だけではないことが報知される。続いて、制御部１は、第２撮像データに基づき、印刷物が排出トレイ５０に戻されたか否かを確認する（ステップ♯２１１）。言い換えると、制御部１は、排出トレイ５０に用紙がある状態になったか否かを確認する。
【００７６】
印刷物が排出トレイ５０に戻されたと判定できないとき（ステップ♯２１１のＮｏ）、フローは、ステップ♯２１０に戻る。印刷物が排出トレイ５０に戻されたと判定できたとき（ステップ♯２１１のＹｅｓ）、制御部１は持ち去り警告を報知部に停止させる（ステップ♯２１２）。そして、制御部１は、取り出し管理リストＬ１を更新する（ステップ♯２１３）。具体的に、制御部１は、取り出し管理リストＬ１から被認証者の通常印刷ジョブを削除する。そして、本フローは終了する（エンド）。
【００７７】
印刷物が残っているとき（ステップ♯２８のＮｏ）、制御部１は、被認証者の通常印刷ジョブが直近に完了した通常印刷ジョブか否かを確認する（ステップ♯２１４）。直近の通常印刷ジョブのとき（ステップ♯２１４のＹｅｓ）、被認証者の印刷物は、排出トレイ５０の用紙束のうち、最も上の部分にある。印刷物をとるとき、被認証者は上から自分の印刷物をとる。自分の印刷物を取り出す作業にはある程度の時間を要すると考えられる。
【００７８】
そこで、直近の通常印刷ジョブのとき（ステップ♯２１４のＹｅｓ）、制御部１は取り出し時間が基準時間以上であるか否かを確認する（ステップ♯２１５）。基準時間は予め定められる。基準時間は、印刷物の選別、取り出しに最低必要と考えられる時間である。基準時間は、例えば、数秒〜十数秒の範囲内の何れかの時間とできる。
【００７９】
時間をかけずに印刷物の選別が終わったとき、他人の印刷物の持ち去りの可能性が高い。そこで、取り出し時間が基準時間未満のとき（ステップ♯２１５のＮｏ）、制御部１は、持ち去り警告を報知部に報知させる（ステップ♯２１６）。制御部１は、予め定められた警告時間、持ち去り警告の表示と再生を続ける。そして、制御部１は、取り出し管理リストＬ１を更新する（被認証者の通常印刷ジョブの削除、ステップ♯２１７）。そして、本フローは終了する（エンド）。一方、時間をかけて自己の印刷物を選別しているとき、他人の印刷物の持ち去っていない可能性が高い。そこで、取り出し時間が基準時間以上であるとき（ステップ♯２１５のＹｅｓ）、警告を報知することなく、ステップ♯２１７に移行する。
【００８０】
直近の通常印刷ジョブではないとき（ステップ♯２１４のＹｅｓ）、制御部１は、推定減少量を求める（ステップ♯２１８）。推定減少量は、排出トレイ５０にある用紙のうち、被認証者の通常印刷ジョブの印刷物の重さの推定値である。制御部１は、取り出し管理リストＬ１に基づき、被認証者の印刷物の合計枚数を求める。制御部１は、用紙１枚当たりの重さに合計枚数を乗じて推定減少量を求める。用紙１枚当たりの重さは、用紙サイズごとに予め定められる。
【００８１】
第１重量と第２重量に基づき、制御部１は、排出トレイ５０の用紙束の重さが減りすぎているか否かを確認する（ステップ♯２１９）。具体的に、制御部１は、第２重量が第１重量よりも小さく、かつ、第１重量から第２重量を減じた値と推定減少量の差の絶対値が予め定められた許容値を超えているとき、減りすぎと判定する。許容値は、１〜数枚数分の用紙の重さとできる。制御部１は、許容値未満のとき、減りすぎではないと判定する。
【００８２】
用紙束の重量が減りすぎているとき、他人の印刷物を持ち去っている可能性が高い。そこで、減りすぎと判定したとき（ステップ♯２１９のＹｅｓ）、制御部１は、持ち去り警告を報知部に報知させる（ステップ♯２２０）。制御部１は、予め定められた警告時間、持ち去り警告の表示と再生を続ける。そして、制御部１は、取り出し管理リストＬ１を更新する（被認証者の通常印刷ジョブの削除、ステップ♯２２１）。そして、本フローは終了する（エンド）。一方、用紙束の重量が減りすぎと判定できないとき、他人の印刷物の持ち去っていない可能性が高い。そこで、減りすぎではないと判定したとき（ステップ♯２１９のＮｏ）、警告を報知することなく、ステップ♯２２１に移行する。
【００８３】
（持ち去り警告の音量設定）
次に、図９、図１０を用いて、実施形態に係る複合機１００での持ち去り警告の音量設定の一例を説明する。図９は、実施形態に係る累計回数データＤ９の一例を示す図である。図１０は、実施形態に係る複合機１００での持ち去り警告の音量設定の流れの一例を示す図である。
【００８４】
制御部１は、記憶部２に累計回数データＤ９を不揮発的に記憶させる（図３参照）。図９に示すように、累計回数データＤ９は、使用者ごとの通常印刷ジョブ及び秘密印刷ジョブの累計実行回数と、持ち去り警告報知の累計回数（以下、警告累計回数と称する）を含む。通常印刷ジョブ又は秘密印刷ジョブが実行されるごとに、制御部１は、対応する使用者の累計実行回数を更新する。また、持ち去り警告を行うごとに、制御部１は、対応する使用者の警告累計回数の値を更新する。累計実行回数、又は、警告累計回数を更新するとき、制御部１は、対応する回数値に１を加算する。
【００８５】
図１０のスタートは、持ち去り警告の報知の開始前の時点である。制御部１は、累計回数データＤ９を参照する（ステップ♯３１）。制御部１は、被認証者の累計実行回数と警告累計回数を読み出す（ステップ♯３２）。制御部１は、読み出した累計実行回数と警告累計回数に基づき、被認証者の警告頻度を求める（ステップ♯３３）。具体的に、制御部１は、警告累計回数を累計実行回数で除して警告頻度（比率）を求める。
【００８６】
制御部１は、警告頻度が大きいほど、持ち去り警告報知時のスピーカー４４の音量を大きく設定する（ステップ♯３４→エンド）。その結果、制御部１は、警告頻度が大きいほど、警告報知時のスピーカー４４の音量を大きくする。例えば、音量の段階数に応じて、警告頻度が取り得る値の範囲を均等に分割する。例えば、警告頻度が取り得る値の範囲は、０％〜１００％である。音量の段階数が５の場合、２０％刻みで警告頻度が取り得る値の範囲を分割する。音量レベルが大きいほど、音量が大きい場合を説明する。
【００８７】
例えば、警告頻度が０％以上２０％未満の場合、制御部１は音量レベルを１とする。警告頻度が２０％以上４０％未満の場合、制御部１は音量レベルを２とする。警告頻度が４０％以上６０％未満の場合、制御部１は音量レベルを３とする。警告頻度が６０％以上８０％未満の場合、制御部１は音量レベルを４とする。警告頻度が８０％以上の場合、制御部１は、音量レベルを５とする。これにより、持ち去り警告が報知される頻度が高い使用者に、持ち去りの可能性をより強く伝えることができる。
【００８８】
（印刷ジョブ中の処理）
次に、図１１を用いて、実施形態に係る複合機１００での印刷ジョブ中の処理の一例を説明する。図１１は、実施形態に係る複合機１００での印刷ジョブ中の処理の一例を示す図である。
【００８９】
図１１のスタートは、被認証者が送信した印刷ジョブの実行中に第１動作がなされたと判定した時点である。本説明での印刷ジョブは、通常印刷ジョブと秘密印刷ジョブの何れでもよい。制御部１は、排出トレイ５０から手を離さないことの警告を報知部に報知させる（ステップ♯４１）。これにより、制御部１は、被認証者に印刷ジョブの全ページの取得を促す。制御部１は、印刷ジョブが完了するまで、手を離さないことの警告の報知を継続させる。なお、印刷ジョブ完了前に第２動作がなされたと判定したとき、制御部１は、スピーカー４４の音量を上げてもよい。
【００９０】
印刷ジョブが完了したとき、制御部１は、取り忘れが無いか確認すべきメッセージを報知部に報知させる（ステップ♯４２→エンド）。これにより、制御部１は、取り忘れが確実に防止させる。制御部１は、予め定められたメッセージ時間、メッセージの表示と再生を続ける。
【００９１】
（排出先が複数ある場合）
次に、図１２を用いて、実施形態に係る排出トレイ５０が複数ある場合の処理の一例を説明する。図１２は、実施形態に係る後処理装置５ｅの一例である。
【００９２】
複合機１００に後処理装置５ｅが取り付けられることがある。図１２に示す後処理装置５ｅは複合機１００の左側面に取り付けられる。後処理装置５ｅは搬入口５ｆを備える。定着部５ｄを通過した印刷済用紙は、搬入口５ｆから後処理装置５ｅ内に送り込まれる。制御部１は後処理装置５ｅの動作を制御する。
【００９３】
後処理装置５ｅには、複数の排出トレイ５０が設けられる。図３に示すように、後処理装置５ｅには、上部排出トレイ５０ａ、第１排出トレイ５０ｂ、第２排出トレイ５０ｃが設けられる。上部排出トレイ５０ａは後処理装置５ｅの上面に設けられる。第１排出トレイ５０ｂは第２排出トレイ５０ｃの上方に設けられる。第２排出トレイ５０ｃは第１排出トレイ５０ｂの下方に設けられる。後処理装置５ｅ内に、複数の用紙搬送用のローラー対５ｇが設けられる。各ローラー対５ｇは、後処理装置５ｅに設けられたモーターの駆動力を受けて回転する。制御部１は各ローラー対５ｇを回転させる。制御部１は、後処理装置５ｅの内部で用紙を搬送させる。
【００９４】
操作パネル４を操作し、排出先（使用する排出トレイ５０）を設定することができる。コンピューター２００で排出先を設定することもできる。用紙排出先の仕分けのため、第１仕分けガイド５ｈと第２仕分けガイド５ｉが設けられる。第１仕分けガイド５ｈと第２仕分けガイド５ｉに対しそれぞれモーター（不図示）が設けられる。各仕分けガイドはそれぞれ回動する。排出先の設定に応じ、制御部１は、第１仕分けガイド５ｈと第２仕分けガイド５ｉを回動させる。第１排出トレイ５０ｂに排出する設定のとき、制御部１は搬送方向を第１排出トレイ５０ｂに向かう方向とする（図３の矢印Ａ）。上部排出トレイ５０ａに排出する設定のとき、制御部１は、搬送方向を上部排出トレイ５０ａに向かう方向とする（図３の方向Ｂ）。第２排出トレイ５０ｃに排出する設定のとき、制御部１は、搬送方向を第２排出トレイ５０ｃに向かう方向とする（図３の方向Ｃ）。
【００９５】
排出トレイ５０が複数設けられる場合、それぞれの排出トレイ５０に対し、検知部７が設けられる。制御部１は、各検知部７の出力に基づき、各排出トレイ５０上に印刷物があるか否かを判定する。また、制御部１は、各検知部７の出力に基づき、どの排出トレイ５０に第１動作がなされたかを判定する。また、制御部１は、各検知部７の出力に基づき、どの排出トレイ５０で第２動作がなされたかを判定する。また、制御部１は、各検知部７の出力に基づき、どの排出トレイ５０の印刷物を移動させたかを判定する。また、制御部１は、排出トレイ５０ごとに、取り出し管理リストＬ１を記憶部２に記憶させる。
【００９６】
使用者を認証したとき、制御部１は、被認証者の通常印刷ジョブの印刷物が排出された排出トレイ５０を報知部に報知させる。複数の排出トレイ５０に被認証者の通常印刷ジョブの印刷物が排出されているとき、制御部１は、印刷物が排出されている複数の排出トレイ５０を報知部に報知させる。被認証者の通常印刷ジョブの印刷物が排出された排出トレイ５０が混載状態のとき、上述の図７、図８に示す処理が実行される。
【００９７】
このようにして、実施形態に係る画像形成装置（複合機１００）は、データ入力部、印刷物、取得部、検知部７、報知部、制御部１を含む。データ入力部は、印刷用データが入力される。印刷部５は、印刷用データに基づき印刷を行う。印刷部５は印刷物を排出トレイ５０に排出する。取得部は、使用者を認証するための認証用情報を取得する。検知部７は、排出トレイ５０に手を伸ばす第１動作がなされたこと、排出トレイ５０から手を離す第２動作がなされたこと、及び、排出トレイ５０上に印刷物があるか否かを判定するための部分である。報知部は報知を行う。制御部１は、認証用情報に基づき使用者を認証する。制御部１は、通常印刷用データがデータ入力部に入力された場合、通常印刷用データに基づく印刷ジョブである通常印刷ジョブを印刷部５に開始させる。制御部１は、秘密印刷用データがデータ入力部に入力された場合、秘密印刷用データに基づく印刷ジョブである秘密印刷ジョブを直ちに印刷部５に開始させない。制御部１は、認証されている使用者である被認証者が秘密印刷用データを入力した使用者であるとき、検知部７の出力に基づき排出トレイ５０に印刷物があるか否かを確認する。制御部１は、排出トレイ５０に印刷物があるとき、検知部７の出力に基づき、排出トレイ５０の全ての印刷物が排出トレイ５０から移動されたことを認識してから、秘密印刷用データに基づく印刷ジョブである秘密印刷ジョブを印刷部５に開始させる。
【００９８】
秘密印刷用データを入力した被認証者（秘密印刷ジョブの実行者）が排出トレイ５０に残る全ての印刷物を移動させたとき、秘密保持文書の印刷を開始することができる。従って、秘密保持文書の印刷直後に、秘密印刷ジョブの実行者に、秘密保持文書のみを取得させることができる。秘密の漏洩を防ぐことができる。第３者が秘密保持文書を取得することを防ぐことができる。また、排出トレイ５０にあった全印刷物をいったん移動させるので、秘密保持文書の取り出し時に、誤って他人の印刷物を持ち去ることもない。
【００９９】
秘密印刷ジョブの開始前に排出トレイ５０に印刷物があるとき、制御部１は第１メッセージを報知部に報知させる。第１メッセージは、排出トレイ５０に残る全ての印刷物の移動が必要であることを知らせるメッセージである。これにより、排出トレイ５０を空の状態にしなければ、秘密保持文書の印刷が開始されないことを知らせることができる。
【０１００】
制御部１は、秘密印刷ジョブの開始後、印刷物を排出トレイ５０に戻すべきことを知らせる第２メッセージを報知部に報知させる。これにより、秘密印刷ジョブの実行者に、他人の印刷物を排出トレイ５０に戻すべきことを知らせることができる。移動させた印刷物が放置されることを防ぐことができる。
【０１０１】
第２メッセージを報知部に報知させるとき、制御部１は、印刷物の移動場所を報知部に報知させるこれにより、印刷物を移動させた場所を秘密印刷ジョブの実行者に知らせることができる。秘密保持文書の印刷者に移動場所を教えることができる。
【０１０２】
画像形成装置はデータを記憶する記憶部２を含む。制御部１は、秘密印刷ジョブの開始時の被認証者を記録する秘密印刷実行者データＤ７を記憶部２に記憶させる。問題が発生した場合、秘密保持文書の印刷時に秘密保持文書を受領した者を確認することができる。
【０１０３】
秘密印刷ジョブの完了後、制御部１は、検知部７の出力に基づき印刷物が排出トレイ５０に戻されたか否かを判定する。印刷物が排出トレイ５０に戻されないとき、制御部１は、他人の印刷物の持ち去りの可能性を警告する持ち去り警告を報知部に報知させる。これにより、排出トレイ５０に印刷物を戻さない場合、警告を出すことができる。秘密印刷ジョブの実行者に印刷物を戻すべきことを知らせることができる。また、画像形成装置の周囲の人に印刷物の持ち去りの可能性を知らせることができる。
【０１０４】
複数の通常印刷ジョブの印刷物が、排出トレイ５０で混載されているとき、制御部１は、認証用情報に基づき、画像形成装置に近づいた者を認証する。第１動作と第２動作がなされたと判定したとき、制御部１は、第２動作後、排出トレイ５０から全ての通常印刷ジョブの印刷物が取り出されたか否かを判定する。全ての通常印刷ジョブの印刷物が排出トレイ５０から取り出されたと判定したとき、制御部１は、他人の印刷物の持ち去りの可能性を警告する持ち去り警告の報知を報知部に行わせる。これにより、認証されている使用者以外の印刷物が排出トレイ５０上の用紙束に含まれていることを知らせることができる。全ての印刷物を持ち去ると、他人の印刷物の持ち去りになることを知らせることができる。他人の印刷物が誤って持ち去られることを防ぐことができる。
【０１０５】
全ての通常印刷ジョブの印刷物が排出トレイ５０から取り出されたとき、制御部１は、通常印刷ジョブの印刷物が排出トレイ５０に戻されたか否かを判定する。制御部１は、通常印刷ジョブの印刷物が排出トレイ５０に戻されたと判定できるまで、持ち去り警告の報知を報知部に継続させる。これにより、排出トレイ５０から取り出した他人の印刷物を戻すまで、警告を出し続けることができる。
【０１０６】
自分の印刷物を取り出すため、排出トレイ５０から全印刷物をいったん取り出す者がいる。全印刷物をいったん取り出した時点で持ち去り警告が報知されることを煩わしいと感じる使用者もいる。そこで、全ての通常印刷ジョブの印刷物が排出トレイ５０から取り出されたとき、制御部１は、排出トレイ５０からの印刷物の取り出しから予め定められた待ち時間が経過するまで、持ち去り警告を報知部に報知させない。制御部１は、待ち時間が経過してから持ち去り警告の報知を報知部に行わせる。これにより、排出トレイ５０からの全ての印刷物を取り出した直後から、持ち去り警告を出さないようにすることができる。使用者に煩わしさを感じさせない。
【０１０７】
排出トレイ５０の用紙の枚数が多いほど、印刷物の束から自分の印刷物を取り出す時間は長くなりやすい。そこで、制御部１は、排出トレイ５０にある通常印刷ジョブの印刷物の枚数である残り枚数を判定する。制御部１は、残り枚数が多いほど、待ち時間を長くする。これにより、排出トレイ５０上の用紙の枚数に応じ、待ち時間を変化させることができる。排出トレイ５０に残る枚数が多く、仕分け（選別）に時間がかかる場合、待ち時間を長くすることができる。
【０１０８】
複数の通常印刷ジョブの印刷物が、排出トレイ５０で混載されているとき、制御部１は、第１動作から第２動作までの取り出し時間を測る。制御部１は、第２動作後、排出トレイ５０から全ての通常印刷ジョブの印刷物が取り出されておらず、かつ、被認証者の通常印刷ジョブが直近の通常印刷ジョブの場合、取り出し時間が予め定められた基準時間未満のとき持ち去り警告を報知部に報知させる。これにより、排出トレイ５０への手の出し入れの時間に基づき、持ち去り警告を出すか否かを定めることができる。取り出し時間が短い場合、使用者は印刷物の束から適当に用紙を取り出したとみなせる。印刷物の束から適当に用紙を取り出した使用者に持ち去り警告を報知することができる。これにより、他人の印刷物の持ち去りを防ぐことができる。
【０１０９】
画像形成装置は、排出トレイ５０に積載された用紙の合計重量を量るための重量センサー８を含む。複数の通常印刷ジョブの印刷物が、排出トレイ５０で混載されているとき、制御部１は、重量センサー８の出力に基づき、第１動作時の重さである第１重量と第２操作後の重さである第２重量を認識する。第２動作後、排出トレイ５０から全ての通常印刷ジョブの印刷物が取り出されておらず、かつ、被認証者の通常印刷ジョブが、直近の通常印刷ジョブではないとき、制御部１は、被認証者の通常印刷ジョブの印刷枚数に基づき推定減少量を定める。第２重量が第１重量よりも小さく、かつ、第１重量から第２重量を減じた値と推定減少量の差の絶対値が予め定められた許容値を超えているとき、制御部１は持ち去り警告を報知部に報知させる。これにより、使用者の手の出し入れの前後の用紙の重さに基づき、持ち去り警告を出すか否かを定めることができる。想定以上に重量が減った場合、持ち去り警告を報知することができる。これにより、他人の印刷物の持ち去りを防ぐことができる。
【０１１０】
また、検知部７の出力に基づき、被認証者の通常印刷ジョブの実行中に排出トレイ５０への手の差し入れを認識したとき、制御部１は、排出トレイ５０から手を離さないことの警告を報知部に報知させる。これにより、これから印刷されるページの印刷物を使用者に確実に取得させることができる。
【０１１１】
繰り返し警告を受けている使用者には、強く注意喚起を行うことが好ましい。そこで、
制御部１は、使用者ごとの通常印刷ジョブ及び秘密印刷ジョブの累計実行回数と、持ち去り警告の報知の累計回数を示す累計回数データＤ９を記憶部２に記憶させる。制御部１は、累計回数データＤ９に基づき、被認証者の警告頻度を求める。制御部１は、警告頻度が大きいほど、持ち去り警告の報知時のスピーカー４４の音量を大きくする。これにより、持ち去り警告の報知頻度が高い使用者ほど、持ち去り警告の音量を大きくすることができる。誤って他人の印刷物を持ち去ることを防ぐことができる。
【０１１２】
本発明の範囲は実施形態の説明に限定されるものではなく、発明の主旨を逸脱しない範囲で種々の変更を加えて実施することができる。
【産業上の利用可能性】
【０１１３】
本発明は、画像形成装置に利用可能である。
【符号の説明】
【０１１４】
１００  複合機（画像形成装置）        １      制御部
２      記憶部                        ４１    表示パネル（報知部）
４４    スピーカー（報知部）          ４５    表示灯（報知部）
５      印刷部                        ５０    排出トレイ
６      認証用カメラ（取得部）        ７      検知部
７０    検知用カメラ（検知部）        ８      重量センサー
９      通信部（データ入力部）        Ｄ７    秘密印刷実行者データ
Ｄ９    累計回数データ
【図１】
2019055526.tif 000003
【図２】
2019055526.tif 000004
【図３】
2019055526.tif 000005
【図４】
2019055526.tif 000006
【図５】
2019055526.tif 000007
【図６】
2019055526.tif 000008
【図７】
2019055526.tif 000009
【図８】
2019055526.tif 000010
【図９】
2019055526.tif 000011
【図１０】
2019055526.tif 000012
【図１１】
2019055526.tif 000013
【図１２】
2019055526.tif 000014